(57)【要約】【課題】携帯端末の機種及びオペレーションシステムのバージョンの違いに関わらず、同一の操作手順でデータの有無の確認及び、データの消去をすることができるデータ消去支援アプリケーションプログラム及びデータ消去支援装置を提供する。【解決手段】データ消去支援アプリケーションプログラムは、携帯端末を、その機種及びオペレーションシステムのバージョンに関する情報を読み取り、読み取った情報に対応させて、該携帯端末に保存されている所定のデータの保存先を特定し、特定した保存先に保存されている所定のデータの有無および該保存先に保存されている所定のデータの消去の指示を可能とするデータ消去指示ボタンを画面に表示させるように機能させる。【選択図】図４
2015192160.tif 000002
【特許請求の範囲】
【請求項１】
スマートフォンを含む携帯端末にインストールされて用いられるデータ消去支援アプリケーションプログラムであって、
前記携帯端末は、所定のデータを、機種毎、及びオペレーションシステムのバージョン毎に、異なる保存先に保存しており、
インストールされた携帯端末を、
前記携帯端末の機種及びオペレーションシステムのバージョンに関する情報を読み取る端末情報読取手段、
前記端末情報読取手段にて読み取った情報に対応させて、前記携帯端末に保存されている所定のデータの保存先を特定し、特定した保存先に保存されている所定のデータの有無を前記携帯端末の表示手段に表示された画面の一部に表示させるデータ有無表示手段、
前記表示手段に表示された画面の一部に、前記保存先に保存されている所定のデータの消去の指示を可能とするデータ消去指示ボタンを表示させる消去指示表示手段、
前記表示手段に表示された前記データ消去指示ボタンからデータの消去が指示されると前記保存先に保存されているデータを消去するデータ消去手段、
として機能させるためのデータ消去支援アプリケーションプログラム。
【請求項２】
請求項１に記載のデータ消去支援アプリケーションプログラムであって、
前記携帯端末に保存されている所定のデータは、さらに、所定の項目毎に異なる保存先に保存されており、
前記携帯端末を前記データ有無表示手段として機能させる際、機種毎、及びオペレーションシステムのバージョン毎に加えて、所定の項目毎に異なる保存先のそれぞれを特定し、特定したそれぞれの保存先に保存されているそれぞれの所定データの有無を、所定の項目毎に、前記携帯端末の表示手段に表示された画面の一部に表示させる、
データ消去支援アプリケーションプログラム。
【請求項３】
請求項２に記載のデータ消去支援アプリケーションプログラムであって、
前記携帯端末を前記消去指示表示手段として機能させる際、前記データ消去指示ボタンを所定の項目毎に、前記表示手段に表示された画面の一部に表示させ、
前記携帯端末を前記データ消去手段として機能させる際、指示された前記データ消去指示ボタンに対応する所定の項目に対応する保存先に保存されているデータを消去する、
あるいは、
前記携帯端末を前記消去指示表示手段として機能させる際、所定の項目にかかわらず所定のデータの全てをまとめて消去する前記データ消去指示ボタンである全データ消去指示ボタンを、前記表示手段に表示された画面の一部に表示させ、
前記携帯端末を前記データ消去手段として機能させる際、前記全データ消去指示ボタンから全データの消去が指示されると、それぞれの所定の項目に対応する保存先に保存されているデータの全てをまとめて消去する、
データ消去支援アプリケーションプログラム。
【請求項４】
請求項１〜３のいずれか一項に記載のデータ消去支援アプリケーションプログラムを、通信ケーブルを介して接続された前記携帯端末にインストール、あるいは前記携帯端末からアンインストール、することが可能なデータ消去支援装置であって、
表示画面とキーボードを有しておらず、
前記通信ケーブルを接続可能なケーブル接続端子と、
前記通信ケーブルを介して接続された前記携帯端末への前記データ消去支援アプリケーションプログラムのインストールを指示するインストール指示手段と、
前記通信ケーブルを介して接続された前記携帯端末にインストールされた前記データ消去支援アプリケーションプログラムのアンインストールを指示するアンインストール指示手段と、
前記通信ケーブルを介して前記携帯端末と情報の送受信を行うことが可能な送受信手段と、
前記データ消去支援アプリケーションプログラムが記憶された記憶媒体から前記データ消去支援アプリケーションプログラムを読み出す読み出し手段と、
前記インストール指示手段からの指示に応じて、前記読み出し手段にて読み出した前記データ消去支援アプリケーションプログラムを、前記送受信手段及び前記通信ケーブルを介して前記携帯端末にインストールし、前記アンインストール指示手段からの指示に応じて、前記送受信手段及び前記通信ケーブルを介して前記携帯端末にアンインストールの指示を行う、制御手段と、を備えた、
データ消去支援装置。
【請求項５】
請求項４に記載のデータ消去支援装置であって、
前記ケーブル接続端子を複数備えており、
複数の前記ケーブル接続端子に接続されたそれぞれの通信ケーブルに接続された携帯端末のそれぞれに対して、前記データ消去支援アプリケーションプログラムのインストール、及び前記データ消去支援アプリケーションプログラムのアンインストールの指示、を行うことが可能な、
データ消去支援装置。
【発明の詳細な説明】
【技術分野】
【０００１】
本発明は、携帯端末にて実行されるデータ消去支援アプリケーションプログラムおよび、該データ消去支援アプリケーションプログラムを携帯端末にインストールし、また、該データ消去支援アプリケーションプログラムを携帯端末からアンインストールするためのデータ消去支援装置に関する。
【背景技術】
【０００２】
スマートフォンなどの携帯端末の販売店やその代理店には、例えば故障等で携帯端末が持ち込まれた際にその代替として顧客に貸し出すための代替用の携帯端末が予め用意されているのが一般的である。代替用の携帯端末は、それが一旦顧客に貸し出されると、その顧客からの返却時点でつぎの顧客への貸し出しに備えて保存データが消去される。その際、作業者は、携帯端末上にてデータの保存先（フォルダやディレクトリ）に移動してデータの有無を確認し、データがある場合には該データを消去する。なお、携帯端末のアプリケーションプログラムの例として、特許文献１には、携帯端末が紛失された場合に、該携帯端末が自端末の存在を報知するように該携帯端末を機能させるアプリケーションプログラムが開示されている。
【先行技術文献】
【特許文献】
【０００３】
【特許文献１】特開２０１２−７００８５号公報
【発明の概要】
【発明が解決しようとする課題】
【０００４】
通常、上述の販売店やその代理店の各店舗においては、同時に複数の顧客に対応できるように、複数の代替用の携帯端末が用意されている。これらの代替用の携帯端末は、機種およびオペレーションシステムのバージョンが異なるものを含んでいることが多い。携帯端末は、機種やオペレーションシステムのバージョンによって、データの保存先が異なる。そのため、顧客から返却された携帯端末のデータを消去する際、作業者は、携帯端末の機種毎およびオペレーションシステムのバージョン毎に異なるデータの保存先に携帯端末上にて移動して、データの有無を確認し、データを消去する必要がある。したがって、データを消去する際の操作手順が、異なる携帯端末の機種間あるいはオペレーションシステムのバージョン間で統一されず、不便であるとともに作業効率が悪い。
【０００５】
特許文献１には、携帯端末が紛失された際に該携帯端末が自端末の存在を報知するように該携帯端末を機能させるアプリケーションプログラムが記載されている。しかし、この技術事項は、異なる機種あるいは異なるオペレーションシステムのバージョンの携帯端末に対して、それらの携帯端末のデータを消去する際の操作手順を統一できるものではない。
【０００６】
本発明は、このような課題を解決しようとするものである。本発明の目的は、携帯端末の機種及びオペレーションシステムのバージョンの違いに関わらず、同一の操作手順でデータの有無の確認及び、データの消去をすることができるデータ消去支援アプリケーションプログラムを提供することである。
また、本発明の別の目的は、携帯端末がインターネットにアクセスできない設定状態にあっても、確実に上述したデータ消去支援アプリケーションプログラムを携帯端末にインストールし、また、該データ消去支援アプリケーションプログラムを携帯端末からアンインストールできるデータ消去支援装置を提供することである。
【課題を解決するための手段】
【０００７】
本発明は、上記の目的を達成するためのもので、以下のように構成されている。本発明のデータ消去支援アプリケーションプログラムは、スマートフォンを含む携帯端末にインストールされて用いられる。この携帯端末は、所定のデータを、機種毎、及びオペレーションシステムのバージョン毎に、異なる保存先に保存している。本発明のデータ消去支援アプリケーションプログラムは、該データ消去支援アプリケーションプログラムインストールされた携帯端末を、つぎのように機能させる。まず、携帯端末の機種及びオペレーションシステムのバージョンに関する情報を読み取る端末情報読取手段として機能させる。また、端末情報読取手段にて読み取った情報に対応させて、携帯端末に保存されている所定のデータの保存先を特定する。そして、特定した保存先に保存されている所定のデータの有無を携帯端末の表示手段に表示された画面の一部に表示させるデータ有無表示手段として機能させる。また、表示手段に表示された画面の一部に、保存先に保存されている所定のデータの消去の指示を可能とするデータ消去指示ボタンを表示させる消去指示表示手段として機能させる。また、表示手段に表示されたデータ消去指示ボタンからデータの消去が指示されると保存先に保存されているデータを消去するデータ消去手段として機能させる。
【０００８】
さらに好ましくは、データ消去支援アプリケーションプログラムをつぎのような構成とすることである。携帯端末に保存されている所定のデータは、機種毎、及びオペレーションシステムのバージョン毎、さらに、所定の項目毎に異なる保存先に保存されている。そして、携帯端末をデータ有無表示手段として機能させる際、機種毎、及びオペレーションシステムのバージョン毎に加えて、所定の項目毎に異なる保存先のそれぞれを特定し、特定したそれぞれの保存先に保存されているそれぞれの所定データの有無を、所定の項目毎に、携帯端末の表示手段に表示された画面の一部に表示させる。
【０００９】
さらに好ましくは、データ消去支援アプリケーションプログラムをつぎのような構成とすることである。携帯端末を消去指示表示手段として機能させる際、データ消去指示ボタンを所定の項目毎に、表示手段に表示された画面の一部に表示させる。また、携帯端末をデータ消去手段として機能させる際、指示されたデータ消去指示ボタンに対応する所定の項目に対応する保存先に保存されているデータを消去する。あるいは、携帯端末を消去指示表示手段として機能させる際、所定の項目にかかわらず所定のデータの全てをまとめて消去するデータ消去指示ボタンである全データ消去指示ボタンを、表示手段に表示された画面の一部に表示させる。そして、携帯端末をデータ消去手段として機能させる際、全データ消去指示ボタンから全データの消去が指示されると、それぞれの所定の項目に対応する保存先に保存されているデータの全てをまとめて消去する。
【００１０】
本発明のデータ消去支援装置は、データ消去支援アプリケーションプログラムを、通信ケーブルを介して接続された携帯端末にインストール、あるいは携帯端末からアンインストールすることが可能であり、表示画面とキーボードとを有していない。データ消去支援装置は、通信ケーブルを接続可能なケーブル接続端子と、通信ケーブルを介して接続された携帯端末へのデータ消去支援アプリケーションプログラムのインストールを指示するインストール指示手段と、通信ケーブルを介して接続された携帯端末にインストールされたデータ消去支援アプリケーションプログラムのアンインストールを指示するアンインストール指示手段と、通信ケーブルを介して携帯端末と情報の送受信を行うことが可能な送受信手段と、データ消去支援アプリケーションプログラムが記憶された記憶媒体からデータ消去支援アプリケーションプログラムを読み出す読み出し手段と、インストール指示手段からの指示に応じて、読み出し手段にて読み出したデータ消去アプリケーションプログラムを、送受信手段及び通信ケーブルを介して携帯端末にインストールし、アンインストール指示手段からの指示に応じて、送受信手段及び通信ケーブルを介して携帯端末にアンインストールする指示を行う、制御手段と、を備えている。
【００１１】
さらに好ましくは、データ消去支援装置をつぎのような構成とすることである。データ消去支援装置は、ケーブル接続端子を複数備えている。そして、複数のケーブル接続端子に接続されたそれぞれの通信ケーブルに接続された携帯端末のそれぞれに対して、データ消去支援アプリケーションプログラムのインストール、及び該データ消去支援アプリケーションプログラムのアンインストールの指示、を行うことが可能である。
【発明の効果】
【００１２】
本発明のデータ消去支援アプリケーションプログラムでは、携帯端末の機種及びオペレーションシステムのバージョンに応じたデータの保存先が特定される。そして、特定された保存先のデータの有無および該データの消去の指示を可能とするデータ消去指示ボタンが携帯端末の画面に表示される。そのため、携帯端末のデータを消去する際、作業者は、携帯端末の機種毎及びオペレーションシステムのバージョン毎に操作手順を変えることなく、同一の手順でデータの有無の確認及びデータの消去をすることができる。
【００１３】
本発明のデータ消去支援アプリケーションプログラムでは、保存されたデータの有無が、所定の項目毎に携帯端末の画面に表示される。そのため、作業者は、項目毎にデータの有無を確認でき、便利である。
【００１４】
本発明のデータ消去支援アプリケーションプログラムでは、保存されたデータを、所定の項目毎に消去できる。そのため、作業者は、データを消去する項目を選択でき、例えば所望する一部の項目のデータを残すこともできる。また、本発明のデータ消去支援アプリケーションプログラムでは、携帯端末に保存されたデータを、所定の項目にかかわらず全てまとめて消去できる。そのため、作業者は、手間をかけずにデータを一括消去でき、作業効率がよい。
【００１５】
本発明のデータ消去支援装置では、携帯端末に対して、通信ケーブルを介してデータ消去支援アプリケーションプログラムを転送し、また、データ消去支援アプリケーションプログラムをインストールあるいはアンインストールする指示を行う。そのため、作業者は、例えば顧客から返却された携帯端末が、顧客の設定によってインターネットにアクセスできない状態となっていても、データ支援アプリケーションプログラムを確実に該携帯端末にインストールでき、また、該携帯端末からアンインストールできる。
【００１６】
本発明のデータ消去支援装置では、ケーブル接続端子が複数設けられている。そして、これらのケーブル接続端子に対して通信ケーブルによって接続された携帯端末のそれぞれに対して、データ消去支援アプリケーションプログラムのインストール、及びアンインストールの指示を行うことができる。そのため、作業者は、データ消去支援アプリケーションプログラムのインストール、及びアンインストールの作業を、複数の携帯端末に関して並行して行うことができる。したがって、作業効率の向上を図ることができる。
【図面の簡単な説明】
【００１７】
【図１】（ａ）はデータ消去支援装置の外観斜視図であり、（ｂ）はデータ消去支援装置に携帯端末を接続した状態の外観斜視図である。
【図２】データ消去支援装置の構成を表したブロック図である。
【図３】携帯端末のデータを確認及び消去する際の全体動作を説明するフローチャートである。
【図４】本発明のデータ消去支援アプリケーションプログラムがインストールされた携帯端末の動作を説明する状態遷移図である。
【図５】携帯端末のデータを確認及び消去する際に、携帯端末の制御手段がデータに対してアクセスする経路を表した図である。
【図６】携帯端末にデータ消去支援アプリをインストールするための準備の作業を表した図であり、図３に示すフローチャートにおけるステップＳ１０〜ステップＳ２５の操作等を説明する図である。
【図７】携帯端末にデータ消去支援アプリをインストールする様子を表した図であり、図３に示すフローチャートにおけるステップＳ３０〜ステップＳ３５の操作等を説明する図である。
【図８】図３に示すフローチャートにおけるステップＳ４０の操作において、携帯端末のデータを項目毎に確認及び消去する際の、携帯端末の表示画面の一例を表した図である。
【図９】図３に示すフローチャートにおけるステップＳ４０の操作において、携帯端末を工場出荷状態に変更する（全データを一括消去する）際の準備をする（ルートアクセスモードに変更する）ための携帯端末の表示画面の一例を表した図である。
【図１０】図９に示す操作の後、携帯端末を工場出荷状態に変更する（全データを一括消去する）際の、携帯端末の表示画面の一例を表した図である。
【図１１】携帯端末からデータ消去支援アプリをアンインストールする様子を表した図であり、図３に示すフローチャートにおけるステップＳ４５〜ステップＳ５０の操作等を説明する図である。
【図１２】携帯端末とデータ消去支援装置との接続が解除された状態を表した図であり、図３に示すフローチャートにおけるステップＳ５５〜ステップＳ６５の操作等を説明する図である。
【発明を実施するための形態】
【００１８】
以下、本発明を実施するための形態を、図面を用いて説明する。
●［データ消去支援装置１の外観とブロック構成（図１、図２）］
図１,２に示すデータ消去支援装置１は、通信ケーブルＣを介してデータ消去支援アプリケーションプログラムを携帯端末１００にインストールし、また、該データ消去支援アプリケーションプログラムを携帯端末１００からアンインストールする装置である。
【００１９】
図２に示すように、データ消去支援装置１は、ＣＰＵを含んで構成される制御手段１０と、読み出し手段１２と、電源コネクタ１４と、送受信手段１６と、ケーブル接続端子１８とを備えている。また、図１（ａ）,（ｂ）及び図２に示すように、データ消去支援装置１は、インストール指示手段２０と、アンインストール指示手段２２と、リセット手段２４と、シャットダウン手段２６とを備えている。また、データ消去支援装置１は、インストール完了表示手段Ｌ１と、アンインストール完了表示手段Ｌ２と、起動完了表示手段Ｌ３とを備えている。データ消去支援装置１は、表示画面とキーボードとを有していない。
【００２０】
読み出し手段１２は、記憶媒体４０（ＳＤカード、マイクロＳＤカード、ミニＳＤカード等）に記憶されたデータ等を読み出す例えば読み出し回路、記憶媒体４０と接続する接続端子等を有する。記憶媒体４０には、データ消去支援アプリケーションプログラムおよびデータ消去支援装置１のオペレーションシステム（以下、ＯＳと記す）となる例えばＬｉｎｕｘ（登録商標）プログラムが記憶されている。読み出し手段１２は、例えば情報伝送回路を通じて制御手段１０に接続されている。制御手段１０は、読み出し手段１２を介して記憶媒体４０に記憶されたＯＳプログラムおよびデータ消去支援アプリケーションプログラムを取得する。
【００２１】
電源コネクタ１４は、電源コードＫとの接続部であり、電源コードＫとの接続端子等を有する。電源コネクタ１４は、例えば電源回路で制御手段１０と接続されている。制御手段１０は、電源コードＫが電源Ｐに接続されると作動を開始して、記憶媒体４０に記憶されたＯＳを起動する。
【００２２】
送受信手段１６は、携帯端末１００に対してデータや各種通信情報を送り、また、携帯端末１００から各種通信情報を受け取る通信回路手段である。送受信手段１６は、例えば情報伝送回路を通じて制御手段１０およびケーブル接続端子１８に接続されている。図１（ｂ）に示すように、本実施形態においては、データ消去支援装置１が２つのケーブル接続端子１８を有する例を示している。送受信手段１６は両ケーブル接続端子１８に接続されている。両ケーブル接続端子１８には、個々に通信ケーブルＣを接続可能である。通信ケーブルＣは例えばＵＳＢケーブルである。
【００２３】
インストール指示手段２０およびアンインストール指示手段２２は、作業者の操作を受付ける手段であり、例えばプッシュ式のスイッチで構成されている。インストール指示手段２０およびアンインストール指示手段２２は、例えば入力処理回路を通じて個々に制御手段１０と接続されている。インストール指示手段２０を操作するとその操作情報が制御手段１０に送られる。そして、制御手段１０は携帯端末１００に対して、送受信手段１６および通信ケーブルＣを介してデータ消去支援アプリケーションプログラムの転送、及びデータ消去支援アプリケーションプログラムをインストールする指示（コマンド等）の転送、を行う。アンインストール指示手段２２を操作するとその操作情報が制御手段１０に送られる。そして、制御手段１０は携帯端末１００に対して送受信手段１６および通信ケーブルＣを介してデータ消去支援アプリケーションプログラムをアンインストールする指示（コマンド等）の転送を行う。
【００２４】
リセット手段２４は、作業者の操作を受付ける手段であり、例えばプッシュ式のスイッチで構成されている。リセット手段２４は、例えば入力処理回路を通じて制御手段１０に接続されている。リセット手段２４を操作するとその操作情報が制御手段１０に送られる。そして、制御手段１０はデータ消去支援装置１を再起動（リセット）する。
【００２５】
シャットダウン手段２６は、作業者の操作を受付ける手段であり、例えばプッシュ式のスイッチで構成されている。シャットダウン手段２６は、例えば入力処理回路を通じて制御手段１０に接続されている。シャットダウン手段２６を操作するとその操作情報が制御手段１０に送られる。そして、制御手段１０は自身の動作を停止する。
【００２６】
インストール完了表示手段Ｌ１およびアンインストール完了表示手段Ｌ２は、表示画面を備えていないデータ消去支援装置１の動作状態を作業者に知らせるための手段であり、例えばＬＥＤで構成されている。インストール完了表示手段Ｌ１およびアンインストール完了表示手段Ｌ２は、例えばＬＥＤ出力回路を通じて個々に制御手段１０と接続されている。制御手段１０は、データ消去支援アプリケーションプログラムが携帯端末１００にインストールされた情報を携帯端末１００から受け取ると、インストール完了表示手段Ｌ１を点灯する。制御手段１０は、データ消去支援アプリケーションプログラムが携帯端末１００からアンインストールされた情報を携帯端末１００から受け取ると、アンインストール完了表示手段Ｌ２を点灯する。
【００２７】
起動完了表示手段Ｌ３は、表示画面を備えていないデータ消去支援装置１の動作状態を作業者に知らせるための手段であり、例えばＬＥＤで構成されている。起動表示ランプは、例えばＬＥＤ出力回路を通じて制御手段１０と接続されている。制御手段１０は、ＯＳが起動すると、起動完了表示手段Ｌ３を点灯する。
【００２８】
携帯端末１００（図１参照）は、公知のスマートフォンであり、ＯＳとして例えばＡｎｄｒｏｉｄ（登録商標）を搭載している。携帯端末１００は、ＣＰＵを含んだ制御手段と、各種設定情報や文字列等を表示する表示手段１０２とを備えている。携帯端末１００は、通信ケーブルＣを接続可能であり、通信ケーブルＣを介してデータ消去支援装置１と各種通信情報やデータ等を送受信できる。携帯端末１００は、該携帯端末１００が通常状態で使用される通常モードから、ケーブルデバックモードに切り替えることが可能である。ケーブルデバックモードとは、携帯端末１００の制御手段を、通信ケーブルＣを介して外部から制御することが可能なモードであり、例えばＵＳＢデバッグモードである。なお、携帯端末１００に保存されている各データは、所定の項目毎に異なる保存先に保存されている。
【００２９】
●［作業者の操作と、データ消去支援装置１の動作と、携帯端末１００の動作（図３におけるステップＳ１０〜ステップＳ４０）］
つづいて、データ消去支援装置１およびデータ消去支援アプリケーションプログラムを用いて携帯端末１００に保存されたデータを確認及び消去する方法を図３乃至１０を用いて説明する。なお、図３で示すフローチャートにおいて、データ消去支援装置１と携帯端末１００との間で行われる各種通信情報やデータ等の送受信は、すべて通信ケーブルＣを介する。以下、図３に示すフローチャートの流れを説明する。
【００３０】
まず、ステップＳ１０にて、作業者は携帯端末１００を通常モードからケーブルデバックモードに切り替える。例えば作業者は、図６の（ａ）に例として示すような携帯端末１００の設定選択画面１１０にて開発者向けオプションボタン１１２を選択し、その後表示される設定変更画面１２０にてＵＳＢデバックボタン１２２を選択する。これに応じて、ステップＫ１０にて、携帯端末１００の制御手段が自端末を通常モードからケーブルデバックモード（この場合、ＵＳＢデバッグモード）へ変更する。
【００３１】
つぎにステップＳ１５にて、作業者は、図６の（ｂ）に示すように、記憶媒体４０をデータ消去支援装置１の読み出し手段１２に接続した状態で電源コードＫを電源Ｐに接続する。これに応じて、ステップＤ１５にて、データ消去支援装置１の制御手段１０が作動を開始する。データ消去支援装置１の制御手段１０は、記憶媒体４０に記憶されたＯＳを読み込んで該ＯＳを起動する。そして、ステップＤ２０に進む。
【００３２】
ステップＤ２０にて、データ消去支援装置１の制御手段１０は、ＯＳの起動を完了した後、図６の（ｃ）に示すように起動完了表示手段Ｌ３を点灯する。ステップＳ２０にて、作業者は、データ消去支援装置１の起動完了表示手段Ｌ３が点灯したことを確認する。
【００３３】
つぎにステップＳ２５にて、作業者は、図６の（ｃ）に示すようにしてデータ消去支援装置１と携帯端末１００とを通信ケーブルＣによって接続する。これに応じて、ステップＫ２５にて、携帯端末１００の制御手段は通信ケーブルＣからのデータ入力待ちとなる。
【００３４】
つぎにステップＳ３０にて、作業者は、図７に示すようにしてデータ消去支援装置１のインストール指示手段２０を操作する。これに応じて、ステップＤ３０にて、データ消去支援装置１の制御手段１０がデータ消去支援アプリケーションプログラムを記憶媒体４０から取得して、該データ消去支援アプリケーションプログラムを携帯端末１００に送信する。また、データ消去支援装置１の制御手段１０は、携帯端末１００に対して、データ消去支援アプリケーションプログラムをインストールするコマンドを送信する。これに応じて、ステップＫ３０にて、携帯端末１００の制御手段がデータ消去支援アプリケーションプログラムおよび該データ消去支援アプリケーションプログラムをインストールするコマンドを受信する。そして、ステップＫ３５に進む。
【００３５】
ステップＫ３５にて、携帯端末１００の制御手段は、データ消去支援アプリケーションプログラムの受信を完了すると、データ消去支援装置１から送られたコマンドに応じて該データ消去支援アプリケーションプログラムを自端末にインストールする。携帯端末１００の制御手段は、データ消去支援アプリケーションプログラムのインストールが完了すると、該データ消去支援アプリケーションプログラムを立ち上げる。そして、携帯端末１００の制御手段は、自端末の機種及びＯＳのバージョンに関する情報を読み取った後、例えば図７に示すベース画面１３０を表示手段１０２に表示する。ベース画面１３０の詳細については後で詳しく説明する。
【００３６】
同じステップＫ３５にて、携帯端末１００の制御手段は、データ消去支援アプリケーションプログラムのインストールが完了すると、データ消去支援アプリケーションプログラムのインストール完了情報をデータ消去支援装置１に送信する。これに応じて、ステップＤ３５にて、データ消去支援装置１の制御手段１０が、携帯端末１００からのインストール完了情報を受信し、図７に示すようにしてインストール完了表示手段Ｌ１を点灯する。ステップＳ３５にて、作業者は、このインストール完了表示手段Ｌ１の点灯を確認する。
【００３７】
つぎに、ステップＳ４０にて、作業者は、携帯端末１００の表示手段１０２に表示される各表示画面に基づいて携帯端末１００に保存されたデータを確認及び消去するための操作を行う。これに応じて、ステップＫ４０にて、携帯端末１００の制御手段は、携帯端末１００を図４に示す各状態に遷移させるように作動する。図４に示すように、作業者は、携帯端末１００のデータを項目毎に確認及び消去できる。また、作業者は、携帯端末１００のデータを全てまとめて消去することもできる。以下、携帯端末１００にインストールされたデータ消去支援アプリケーションプログラムの動作について、図４に示す状態遷移図を用いて、詳しく説明する。
【００３８】
●［携帯端末１００にインストールされたデータ消去支援アプリケーションプログラムによるベース画面表示状態Ｚ１０への遷移と、ベース画面表示状態Ｚ１０における動作（図４、図７）］
携帯端末１００の制御手段は、図３に示すステップＫ３５にて、データ消去支援アプリケーションプログラムをインストールして該データ消去支援アプリケーションプログラムを起動すると、ベース画面表示状態Ｚ１０（図４参照）に遷移する。ベース画面表示状態Ｚ１０にて、携帯端末１００の制御手段は、例えば図７に示すベース画面１３０を表示手段１０２に表示する。携帯端末１００の制御手段は、ベース画面１３０に、端末情報１３２と、所定の項目毎のデータ確認・消去ボタン１３４と、ルートアクセスモードへの変更ボタン１３６と、全データ一括消去ボタン１３８などを表示する。
【００３９】
携帯端末１００の制御手段は、ベース画面１３０の端末情報１３２を表示する際、携帯端末１００の（機種の）バージョンに関する情報と、機種情報と、ＯＳのバージョンに関する情報（例えばビルド番号）を読み出して、該端末情報１３２に表示する。また、携帯端末１００の制御手段は、ベース画面１３０の端末情報１３２を表示する際、ＳＤカードの装着の有無を検出し、該ＳＤカードの装着状態１３２ａを端末情報１３２に表示する。作業者は、例えば顧客のＳＤカードが装着されたままである場合には、それを携帯端末１００から取り外し、後で顧客に返却する。
【００４０】
●［項目毎データ確認・消去画面表示状態Ｚ２０への遷移と、項目毎データ確認・消去画面表示状態Ｚ２０における動作（図４、図８）］
携帯端末１００の制御手段は、ベース画面表示状態Ｚ１０（図４参照）にてベース画面１３０（図８参照）を表示しているとき、作業者から所定の項目毎のデータ確認・消去ボタン１３４が選択されると、項目毎データ確認・消去画面表示状態Ｚ２０（図４参照）へと遷移する。そして、作業者が項目毎に携帯端末１００のデータを確認及び消去する操作が可能な項目毎データ確認・消去画面１４０（図８参照）を表示手段１０２に表示する。一方、携帯端末１００の制御手段は、項目毎データ確認・消去画面表示状態Ｚ２０にて項目毎データ確認・消去画面１４０を表示しているとき、作業者から携帯端末１００の戻りボタン１０３（図１（ｂ）参照）が操作されると、ベース画面表示状態Ｚ１０へと遷移する（図４参照）。
【００４１】
携帯端末１００の制御手段は、項目毎データ確認・消去画面表示状態Ｚ２０（図４参照）にて項目毎データ確認・消去画面１４０（図８参照）を表示する際、図３のステップＫ３５（ベース画面表示状態Ｚ１０）にて読み取った自端末の機種及びＯＳのバージョンに対応させて、自端末に保存されている各データの保存先を例えば図８に示す所定の項目ｉ毎に特定する。そして、特定したそれぞれの保存先に保存されているデータの保存件数Ｎを、項目毎データ確認・消去画面１４０に項目ｉ毎に表示する。また、携帯端末１００の制御手段は、各項目ｉにおいてデータが１件以上保存されている場合、項目毎データ確認・消去画面１４０に、データ存在情報Ｅを例えば図８に示す文字列（図８の例では「ＮＧ」という文字列）によって項目ｉ毎に表示する。なお、データ存在情報Ｅとは、本来ではデータが消去されて０件であるべきところが、消去されずにデータが残っていることを作業者に知らせるための情報である。
【００４２】
また、携帯端末１００の制御手段は、項目毎データ確認・消去画面１４０（図８参照）に、特定したそれぞれの保存先のデータを項目ｉ毎に消去する指示をすることが可能な項目毎データ消去指示ボタン１４４を表示する。また、携帯端末１００の制御手段は、項目毎データ確認・消去画面１４０に、特定したそれぞれの保存先のデータを項目ｉ毎に表示する指示をすることが可能な項目毎データ表示指示ボタン１４２を表示する。
【００４３】
図８に示すように、携帯端末１００の制御手段は、自端末に保存されているアプリケーションプログラム（システムアプリを除く）についても、それらが保存されている保存先を特定し、それらのアプリケーションプログラム一覧を表示するための項目毎データ表示指示ボタン１４２およびそれらのアプリケーションプログラムを消去するための項目毎データ消去指示ボタン１４４を項目毎データ確認・消去画面１４０に表示する。
【００４４】
携帯端末１００の制御手段は、項目毎データ確認・消去画面表示状態Ｚ２０にて項目毎データ確認・消去画面１４０を表示しているとき、作業者から、ある所定の項目ｉの項目毎データ消去指示ボタン１４４（図８参照）が選択されると、対応する項目ｉのデータ保存先に保存されているデータを消去する。作業者が、消去操作を項目毎に繰り返すことで、携帯端末１００の制御手段が、順次、対応する項目ｉのデータを消去する。
【００４５】
●［所定項目データ表示状態Ｚ２５への遷移と、所定項目データ表示状態Ｚ２５における動作（図４、図８）］
携帯端末１００の制御手段は、項目毎データ確認・消去画面表示状態Ｚ２０（図４参照）にて項目毎データ確認・消去画面１４０（図８参照）を表示しているとき、作業者からある所定の項目ｉの項目毎データ表示指示ボタン１４２（図８参照）が選択されると、所定項目データ表示状態Ｚ２５（図４参照）へと遷移する。携帯端末１００の制御手段は、作業者が選択した項目ｉのデータの保存件数Ｎが一件以上である場合、作業者が選択した所定の項目ｉのデータを表示手段１０２に表示するが、表示の例については省略する。携帯端末１００の制御手段は、所定項目データ表示状態Ｚ２５にて所定の項目ｉのデータを表示しているとき、作業者から携帯端末１００の戻りボタン１０３（図１（ｂ）参照）が操作されると、項目毎データ確認・消去画面表示状態Ｚ２０へと遷移する（図４参照）。
【００４６】
●［ルートアクセス許可画面表示状態Ｚ３０への遷移と、ルートアクセス許可画面表示状態Ｚ３０における動作（図４、図９）］
つづいて、作業者が携帯端末１００の各データを全てまとめて消去する方法を説明する。全データを一括消去する手順は、まず、携帯端末１００をルートアクセスモードに変更した後、携帯端末１００のＯＳを工場出荷状態へと書き戻すことにて実現される。ルートアクセスモードとは、携帯端末１００のシステム情報ファイルを作業者の操作によって書き換えることが可能なモードであり、例えば携帯端末１００のＯＳがＡｎｄｒｏｉｄ（登録商標）である場合、デバイス管理機能と呼ばれる機能が利用されるモードである。作業者は、携帯端末１００がルートアクセスモードに変更されたか否かを、ベース画面表示状態Ｚ１０にて表示されるベース画面１３０（図９参照）のルートアクセス状態表示部１３２ｂの表示内容によって確認することができる。携帯端末１００の制御手段は、携帯端末１００がルートアクセスモードである場合はベース画面１３０のルートアクセス状態表示部１３２ｂに「有効」を表示し、ルートアクセスモードでない場合はベース表示画面１３０のルートアクセス状態表示部１３２ｂに「無効」を表示する。
【００４７】
携帯端末１００の制御手段は、ベース画面表示状態Ｚ１０（図４参照）にてベース表示画面１３０を表示しているとき（図９参照）、作業者から、ルートアクセスモードへの変更ボタン１３６が選択されると、ルートアクセス許可画面表示状態Ｚ３０（図４参照）に遷移する。そして、ルートアクセス許可画面１５０（図９参照）を表示手段１０２に表示する。一方、携帯端末１００の制御手段は、ルートアクセス許可画面表示状態Ｚ３０にてルートアクセス許可画面１５０を表示しているとき、作業者から携帯端末１００の戻りボタン１０３（図１（ｂ）参照）が操作されると、ベース画面表示状態Ｚ１０へと遷移する（図４参照）。
【００４８】
携帯端末１００の制御手段は、ルートアクセス許可画面表示状態Ｚ３０にてルートアクセス許可画面１５０を表示しているとき（図９参照）、作業者から、ルートアクセス許可ボタン１５２が選択されると、携帯端末１００をルートアクセスモードへと変更する。携帯端末１００の制御手段は、携帯端末１００をルートアクセスモードへ変更した場合は、戻りボタン１０３（図１（ｂ）参照）が操作されてベース画面表示状態Ｚ１０に遷移した際、ベース画面１３０（図９参照）のルートアクセス状態表示部１３２ｂに「有効」を表示する。なお、携帯端末１００の制御手段は、ルートアクセスモードへ変更されていない場合は、ベース画面表示状態Ｚ１０に遷移した際に、ベース画面１３０のルートアクセス状態表示部１３２ｂに「無効」を表示する。
【００４９】
●［全データ一括消去画面表示状態Ｚ４０への遷移と、全データ一括消去画面表示状態Ｚ４０における動作（図４、図１０）］
携帯端末１００の制御手段は、ベース画面表示状態Ｚ１０（図４参照）にてベース表示画面１３０を表示しているとき（図１０参照）、作業者から、全データ一括消去ボタン１３８が選択されると、全データ一括消去画面表示状態Ｚ４０（図４参照）に遷移する。そして、全データ一括消去画面１６０（図１０参照）を表示手段１０２に表示する。一方、携帯端末１００の制御手段は、全データ一括消去画面表示状態Ｚ４０にて全データ一括消去画面１６０を表示しているとき、作業者から携帯端末１００の戻りボタン１０３（図１（ｂ）参照）が操作されると、ベース画面表示状態Ｚ１０へと遷移する（図４参照）。
【００５０】
携帯端末１００の制御手段は、全データ一括消去画面表示状態Ｚ４０（図４参照）にて全データ一括消去画面１６０を表示する際、図３のステップＫ３５（ベース画面表示状態Ｚ１０）にて読み取った自端末の機種及びＯＳのバージョンに対応させて、自端末に保存されている各データの保存先を所定の項目毎に特定する。その上で、携帯端末１００の制御手段は、全データ一括消去画面１６０の一部に、特定したそれぞれの保存先のデータを、項目に関わらず全てまとめて消去する指示を可能とする全データ消去指示ボタン１６２を表示する。作業者が、この全データ消去指示ボタン１６２を選択すると、携帯端末１００の制御手段は、該携帯端末１００の全データを含むＯＳを、工場出荷状態に書き戻す（初期化する）。このことによって、携帯端末１００の制御手段は、該携帯端末１００の全データを消去する。従って、各項目に対応する保存先に保存されているデータは、項目に関わらず全てまとめて消去される。また、システムアプリ以外のアプリであって利用者がインストールしたアプリについても、全て消去される（工場出荷状態に戻される）。なお、全データ一括消去を行うと、ルートアクセスモードは自動的に解除される。
【００５１】
ところで、携帯端末１００の制御手段は、保存先のデータを表示もしくは消去（項目毎消去と一括消去との両方を含む）する際、図５に示す経路１もしくは経路２によってデータにアクセスする。経路１でデータにアクセスする場合、携帯端末１００の制御手段は、データ消去支援アプリケーションプログラムを介して携帯端末１００に予め登録されている表示プログラムもしくは消去プログラムを読み込んで対応するデータを表示もしくは消去する。経路２でデータにアクセスする場合、携帯端末１００の制御手段は、データ消去支援アプリケーションプログラムによって直接、保存先のデータを表示もしくは消去する。
【００５２】
●［作業者の操作と、データ消去支援装置１の動作と、携帯端末１００の動作（図３におけるステップＳ４５〜ステップＳ７０）］
以上のようにして、図３のステップＳ４０での作業者の操作、及び、それに応じたステップＫ４０での携帯端末１００の作動が終了する。この後、ステップＳ４５にて、作業者は、データ消去支援装置１のアンインストール指示手段２２を操作する（図１１参照）。これに応じて、ステップＤ４５にて、データ消去支援装置１の制御手段１０が、携帯端末１００に対して、データ消去支援アプリケーションプログラムをアンインストールするコマンドを送信する。これに応じて、ステップＫ４５にて、携帯端末１００の制御手段は、データ消去支援アプリケーションプログラムをアンインストールするコマンドを受信し、該データ消去支援アプリケーションプログラムを携帯端末１００からアンインストールする。そして、ステップＫ５０に進む。
【００５３】
ステップＫ５０にて、携帯端末１００の制御手段は、データ消去支援アプリケーションプログラムのアンインストールを完了すると、そのアンインストール完了情報をデータ消去装置に送信する。これに応じて、ステップＤ５０にて、データ消去支援装置１の制御手段１０は、携帯端末１００からのアンインストール完了情報を受信すると、アンインストール完了表示手段Ｌ２を点灯する（図１１参照）。ステップＳ５０にて、作業者は、データ消去支援装置１のアンインストール完了表示手段Ｌ２の点灯を確認する。
【００５４】
つぎにステップＳ５５にて、作業者は、データ消去支援装置１のシャットダウン手段２６を操作する（図１２参照）。これに応じて、ステップＤ５５にて、データ消去支援装置１の制御手段１０が動作を終了するための処理（シャットダウン処理）を行った後、動作を停止する。そして、データ消去支援装置１の起動完了表示手段Ｌ３が消灯する。
【００５５】
つぎにステップＳ６０にて、作業者は、データ消去支援装置１の起動完了表示手段Ｌ３が消灯したのを確認する。そしてステップＳ６５にて、作業者は、データ消去支援装置１の電源コードＫを電源Ｐから抜き取る。また、作業者は、データ消去支援装置１と携帯端末１００との接続を解除する（図１２参照）。
【００５６】
つぎにステップＳ７０にて、作業者は、携帯端末１００のケーブルデバックモードを解除する。これに応じて、ステップＫ７０にて、携帯端末１００の制御手段が自身をケーブルデバックモードから通常モードへと復帰させる。
【００５７】
なお、本発明の「携帯端末を、携帯端末の機種及びＯＳのバージョンに関する情報を読み取る端末情報読取手段として機能させるためのデータ消去支援アプリケーションプログラム」は、ステップＫ３５（図３参照）において、携帯端末１００の制御手段が表示手段１０２にベース画面１３０（図８参照）を表示するベース画面表示状態Ｚ１０（図４参照）にて実現されている。
【００５８】
本発明の「携帯端末を、端末情報読取手段にて読み取った情報に対応させて、携帯端末に保存されている所定のデータの保存先を特定し、特定した保存先に保存されている所定のデータの有無を携帯端末の表示手段に表示された画面の一部に表示させるデータ有無表示手段として機能させるためのデータ消去支援アプリケーションプログラム」は、携帯端末１００の制御手段が表示手段１０２に項目毎データ確認・消去画面１４０（図８参照）を表示する項目毎データ確認・消去画面表示状態Ｚ２０（図４参照）にて実現されている。
【００５９】
本発明の「携帯端末を、表示手段に表示された画面の一部に、保存先に保存されている所定のデータの消去の指示を可能とするデータ消去指示ボタンを表示させる消去指示表示手段として機能させるためのデータ消去支援アプリケーションプログラム」は、携帯端末１００の制御手段が表示手段１０２に項目毎データ確認・消去画面１４０（図８参照）を表示する項目毎データ確認・消去画面表示状態Ｚ２０（図４参照）にて実現されている。また、同データ消去支援アプリケーションプログラムは、携帯端末１００の制御手段が表示手段１０２に全データ一括消去画面１６０（図１０参照）を表示する全データ一括消去画面表示状態Ｚ４０（図４参照）にて実現されている。
【００６０】
本発明の「携帯端末を、表示手段に表示されたデータ消去指示ボタンからデータの消去が指示されると保存先に保存されているデータを消去するデータ消去手段として機能させるためのデータ消去支援アプリケーションプログラム」は、項目毎データ確認・消去画面表示状態Ｚ２０（図４参照）にて携帯端末１００の制御手段が表示手段１０２に項目毎データ確認・消去画面１４０（図８参照）を表示しているときに、作業者から項目毎データ消去指示ボタン１４４（図８参照）が選択されて、該携帯端末１００の制御手段が選択された項目のデータを消去すること（図４の項目毎データ確認・消去画面表示状態Ｚ２０を参照）にて実現されている。また、同データ消去支援アプリケーションプログラムは、全データ一括消去画面表示状態Ｚ４０（図４参照）にて携帯端末１００の制御手段が全データ一括消去画面１６０（図１０参照）を表示しているときに、作業者から全データ消去指示ボタン１６２（図１０参照）が選択されて、該携帯端末１００の制御手段が全データを消去すること（図４の全データ一括消去画面表示状態Ｚ４０を参照）にて実現されている。
【００６１】
本発明の「携帯端末をデータ有無表示手段として機能させる際、機種毎、及びオペレーションシステムのバージョン毎に加えて、所定の項目毎に異なる保存先のそれぞれを特定し、特定したそれぞれの保存先に保存されているそれぞれの所定データの有無を、所定の項目毎に、携帯端末の表示手段に表示された画面の一部に表示させるデータ消去支援アプリケーションプログラム」は、携帯端末１００の制御手段が表示手段１０２にベース画面１３０（図８参照）を表示するベース画面表示状態Ｚ１０（図４参照）、及び携帯端末１００の制御手段が表示手段１０２に項目毎データ確認・消去画面１４０（図８参照）を表示する項目毎データ確認・消去画面表示状態Ｚ２０（図４参照）にて実現されている。
【００６２】
本発明の「携帯端末を消去指示表示手段として機能させる際、データ消去指示ボタンを所定の項目毎に、表示手段に表示された画面の一部に表示させるデータ消去支援アプリケーションプログラム」は、携帯端末１００の制御手段が表示手段１０２に項目毎データ確認・消去画面１４０（図８参照）を表示する項目毎データ確認・消去画面表示状態Ｚ２０（図４参照）にて実現されている。
【００６３】
本発明の「携帯端末をデータ消去手段として機能させる際、指示されたデータ消去指示ボタンに対応する所定の項目に対応する保存先に保存されているデータを消去するデータ消去支援アプリケーションプログラム」は、携帯端末１００の制御手段が表示手段１０２に項目毎データ確認・消去画面１４０（図８参照）を表示しているときに、作業者から項目毎データ消去指示ボタン１４４（図８参照）が選択されて、該携帯端末１００の制御手段が選択された項目のデータを消去する項目毎データ確認・消去画面表示状態Ｚ２０（図４参照）にて実現されている。
【００６４】
本発明の「携帯端末を消去指示表示手段として機能させる際、所定の項目にかかわらず所定のデータの全てをまとめて消去するデータ消去指示ボタンである全データ消去指示ボタンを、表示手段に表示された画面の一部に表示させるデータ消去支援アプリケーションプログラム」は、携帯端末１００の制御手段が表示手段１０２に全データ一括消去画面１６０（図１０参照）を表示する全データ一括消去画面表示状態Ｚ４０（図４参照）にて実現されている。
【００６５】
本発明の「携帯端末をデータ消去手段として機能させる際、全データ消去指示ボタンから全データの消去が指示されると、それぞれの所定の項目に対応する保存先に保存されているデータの全てをまとめて消去するデータ消去支援アプリケーションプログラム」は、携帯端末１００の制御手段が表示手段１０２に全データ一括消去画面１６０（図１０参照）を表示しているときに、作業者から全データ消去指示ボタン１６２（図１０参照）が選択されて、該携帯端末１００の制御手段が全データを一括して消去する（携帯端末のＯＳを工場出荷状態に戻す）全データ一括消去画面表示状態Ｚ４０（図４参照）にて実現されている。
【００６６】
本発明は以上のように構成される。一般に携帯端末は、所定のデータを、機種毎およびＯＳのバージョン毎に、異なる保存先に保存している。本発明のデータ消去支援アプリケーションプログラムでは、携帯端末１００の機種及びＯＳのバージョンに応じたデータの保存先が特定される。そして、特定された保存先のデータの有無、および該データの消去の指示を可能とする項目毎データ消去指示ボタン１４４もしくは全データ消去指示ボタン１６２が携帯端末１００に表示される。そのため、携帯端末１００のデータを消去する際、作業者は、携帯端末１００の機種毎及びＯＳのバージョン毎に操作手順を変えることなく、同一の手順でデータの有無の確認及びデータの消去をすることができる。
【００６７】
本発明のデータ消去支援アプリケーションプログラムでは、保存されたデータの有無が、所定の項目毎に携帯端末１００に表示される。そのため、作業者は、項目毎にデータの有無を確認でき、便利である。
【００６８】
本発明のデータ消去支援アプリケーションプログラムでは、保存されたデータを、所定の項目毎に消去できる。そのため、作業者は、データを消去する項目を選択でき、例えば所望する一部の項目のデータを残すこともできる。また、本発明のデータ消去支援アプリケーションプログラムでは、携帯端末１００に保存されたデータを、所定の項目にかかわらず全てまとめて消去できる。そのため、作業者は、手間をかけずにデータを一括消去でき、作業効率がよい。
【００６９】
本発明のデータ消去支援装置１では、携帯端末１００に対して、通信ケーブルＣを介してデータ消去支援アプリケーションプログラムを転送し、また、データ消去支援アプリケーションプログラムをインストールあるいはアンインストールする指示を行う。そのため、作業者は、例えば顧客から返却された携帯端末１００が、顧客の設定によってインターネットにアクセスできない状態となっていても、データ支援アプリケーションプログラムを確実に該携帯端末１００にインストールでき、また、該携帯端末１００からアンインストールできる。
【００７０】
以上は本発明を実施するための最良の形態を図面に関連して説明したが、この実施の形態は本発明の趣旨から逸脱しない範囲で容易に変更できるものである。上述の実施形態においては、携帯端末１００はスマートフォンであった。しかしながら、携帯端末１００はスマートフォンに限定されるものではなく、通信ケーブルＣを通じた各種通信情報およびデータ等の送受信が可能で、かつ、ケーブルデバックモードに変更可能であって、上述の実施形態におけるスマートフォンの作動と同様の作動が可能な携帯端末であれば、どのような携帯端末であってもよい。例えば、携帯電話端末、タブレット型ＰＣ、ノート型ＰＣ、ウェアラブルＰＣ等であってもよい。
【００７１】
上述の実施形態においては、１つの携帯端末のみが通信ケーブルＣによってデータ消去削除支援装置と接続されていた。しかしながら、データ消去支援装置１における２つのケーブル接続端子１８のそれぞれに通信ケーブルＣを介して２台の携帯端末を同時に接続してもよい。この場合、各携帯端末に対して、上述の実施携帯と同様にしたデータ消去支援アプリケーションプログラムのインストール、保存されたデータの消去、データ消去支援アプリケーションプログラムのアンインストールを並行して行うことができる。
【００７２】
なお、データ消去支援装置１において、ケーブル接続端子１８を３つ以上設け、その個々のケーブル接続端子１８に対して通信ケーブルＣによって携帯端末を接続可能な構成としてもよい。そして、それらのケーブル接続端子１８に対して個々に携帯端末を接続し、それらの複数の携帯端末に対して、上述の実施形態と同様にしたデータ消去支援アプリケーションプログラムのインストール、保存されたデータの消去、データ消去支援アプリケーションプログラムのアンインストールを並行して行ってもよい。
【符号の説明】
【００７３】
１     データ消去支援装置
１０   制御手段
１２   読み出し手段
１６   送受信手段
１８   ケーブル接続端子
２０   インストール指示手段
２２   アンインストール指示手段
４０   記憶媒体
１００ 携帯端末
１０２ 表示手段
１３０ ベース画面
１４０ 項目毎データ確認・消去画面
１４２ 項目毎データ表示指示ボタン
１４４ 項目毎データ消去指示ボタン（データ消去指示ボタン）
１５０ ルートアクセス許可画面
１６０ 全データ一括消去画面
１６２ 全データ消去指示ボタン
Ｃ     通信ケーブル
Ｎ     データ保存件数
【図１】
2015192160.tif 000003
【図２】
2015192160.tif 000004
【図３】
2015192160.tif 000005
【図４】
2015192160.tif 000006
【図５】
2015192160.tif 000007
【図６】
2015192160.tif 000008
【図７】
2015192160.tif 000009
【図８】
2015192160.tif 000010
【図９】
2015192160.tif 000011
【図１０】
2015192160.tif 000012
【図１１】
2015192160.tif 000013
【図１２】
2015192160.tif 000014
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
スマートフォンを含む携帯端末にインストールされて用いられるデータ消去支援アプリケーションプログラムであって、
前記携帯端末は、所定のデータを、機種毎、及びオペレーションシステムのバージョン毎に、異なる保存先に保存しており、
インストールされた携帯端末を、
前記携帯端末の機種及びオペレーションシステムのバージョンに関する情報を読み取る端末情報読取手段、
前記端末情報読取手段にて読み取った情報に対応させて、前記携帯端末に保存されている所定のデータの保存先を特定し、特定した保存先に保存されている所定のデータの有無を前記携帯端末の表示手段に表示された画面の一部に表示させるデータ有無表示手段、
前記表示手段に表示された画面の一部に、前記保存先に保存されている所定のデータの消去の指示を可能とするデータ消去指示ボタンを表示させる消去指示表示手段、
前記表示手段に表示された前記データ消去指示ボタンからデータの消去が指示されると前記保存先に保存されているデータを消去するデータ消去手段、
として機能させるためのデータ消去支援アプリケーションプログラム。
【請求項２】
請求項１に記載のデータ消去支援アプリケーションプログラムであって、
前記携帯端末に保存されている所定のデータは、さらに、所定の項目毎に異なる保存先に保存されており、
前記携帯端末を前記データ有無表示手段として機能させる際、機種毎、及びオペレーションシステムのバージョン毎に加えて、所定の項目毎に異なる保存先のそれぞれを特定し、特定したそれぞれの保存先に保存されているそれぞれの所定データの有無を、所定の項目毎に、前記携帯端末の表示手段に表示された画面の一部に表示させる、
データ消去支援アプリケーションプログラム。
【請求項３】
請求項２に記載のデータ消去支援アプリケーションプログラムであって、
前記携帯端末を前記消去指示表示手段として機能させる際、前記データ消去指示ボタンを所定の項目毎に、前記表示手段に表示された画面の一部に表示させ、
前記携帯端末を前記データ消去手段として機能させる際、指示された前記データ消去指示ボタンに対応する所定の項目に対応する保存先に保存されているデータを消去する、
あるいは、
前記携帯端末を前記消去指示表示手段として機能させる際、所定の項目にかかわらず所定のデータの全てをまとめて消去する前記データ消去指示ボタンである全データ消去指示ボタンを、前記表示手段に表示された画面の一部に表示させ、
前記携帯端末を前記データ消去手段として機能させる際、前記全データ消去指示ボタンから全データの消去が指示されると、それぞれの所定の項目に対応する保存先に保存されているデータの全てをまとめて消去する、
データ消去支援アプリケーションプログラム。
【手続補正３】
【補正対象書類名】明細書
【補正対象項目名】０００１
【補正方法】変更
【補正の内容】
【０００１】
本発明は、携帯端末にて実行されるデータ消去支援アプリケーションプログラムに関する。
【手続補正４】
【補正対象書類名】明細書
【補正対象項目名】０００６
【補正方法】変更
【補正の内容】
【０００６】
本発明は、このような課題を解決しようとするものである。本発明の目的は、携帯端末の機種及びオペレーションシステムのバージョンの違いに関わらず、同一の操作手順でデータの有無の確認及び、データの消去をすることができるデータ消去支援アプリケーションプログラムを提供することである。
【手続補正５】
【補正対象書類名】明細書
【補正対象項目名】００１０
【補正方法】変更
【補正の内容】
【００１０】
本実施の形態に記載のデータ消去支援装置は、データ消去支援アプリケーションプログラムを、通信ケーブルを介して接続された携帯端末にインストール、あるいは携帯端末からアンインストールすることが可能であり、表示画面とキーボードとを有していない。データ消去支援装置は、通信ケーブルを接続可能なケーブル接続端子と、通信ケーブルを介して接続された携帯端末へのデータ消去支援アプリケーションプログラムのインストールを指示するインストール指示手段と、通信ケーブルを介して接続された携帯端末にインストールされたデータ消去支援アプリケーションプログラムのアンインストールを指示するアンインストール指示手段と、通信ケーブルを介して携帯端末と情報の送受信を行うことが可能な送受信手段と、データ消去支援アプリケーションプログラムが記憶された記憶媒体からデータ消去支援アプリケーションプログラムを読み出す読み出し手段と、インストール指示手段からの指示に応じて、読み出し手段にて読み出したデータ消去アプリケーションプログラムを、送受信手段及び通信ケーブルを介して携帯端末にインストールし、アンインストール指示手段からの指示に応じて、送受信手段及び通信ケーブルを介して携帯端末にアンインストールする指示を行う、制御手段と、を備えている。
【手続補正６】
【補正対象書類名】明細書
【補正対象項目名】００１１
【補正方法】変更
【補正の内容】
【００１１】
本実施の形態に記載のデータ消去支援装置は、ケーブル接続端子を複数備えている。そして、複数のケーブル接続端子に接続されたそれぞれの通信ケーブルに接続された携帯端末のそれぞれに対して、データ消去支援アプリケーションプログラムのインストール、及び該データ消去支援アプリケーションプログラムのアンインストールの指示、を行うことが可能である。
【手続補正７】
【補正対象書類名】明細書
【補正対象項目名】００１５
【補正方法】変更
【補正の内容】
【００１５】
本実施の形態に記載のデータ消去支援装置では、携帯端末に対して、通信ケーブルを介してデータ消去支援アプリケーションプログラムを転送し、また、データ消去支援アプリケーションプログラムをインストールあるいはアンインストールする指示を行う。そのため、作業者は、例えば顧客から返却された携帯端末が、顧客の設定によってインターネットにアクセスできない状態となっていても、データ支援アプリケーションプログラムを確実に該携帯端末にインストールでき、また、該携帯端末からアンインストールできる。
【手続補正８】
【補正対象書類名】明細書
【補正対象項目名】００１６
【補正方法】変更
【補正の内容】
【００１６】
本実施の形態に記載のデータ消去支援装置では、ケーブル接続端子が複数設けられている。そして、これらのケーブル接続端子に対して通信ケーブルによって接続された携帯端末のそれぞれに対して、データ消去支援アプリケーションプログラムのインストール、及びアンインストールの指示を行うことができる。そのため、作業者は、データ消去支援アプリケーションプログラムのインストール、及びアンインストールの作業を、複数の携帯端末に関して並行して行うことができる。したがって、作業効率の向上を図ることができる。